(57)【要約】      （修正有）【課題】ラーメンその他の麺類用の落下しても破損しないどんぶりを提供する。【解決手段】所定大きさに成る金属製の容器体１が適当間隔の中空部５をはさんで内器部材２及び外器部材３から成り、これに金属製のトレー体を加えて成るものである。本体となる容器体は、いずれもステンレス鋼等の金属材の内器部材と外器部材とを所定形態に成形し、この両部材を中間に適当間隔をおいた中空部を形成して、両部材の周縁部を溶着した後、容器体全体を研磨仕上げするものである。【選択図】図２
0003156794.tif 000002
【実用新案登録請求の範囲】
【請求項１】
所定大きさに成る金属製の容器体が適当間隔の中空部をはさんで内器部材及び外器部材から成ることを特徴とするどんぶり。
【請求項２】
所定大きさに成る金属製の容器体が適当間隔の中空部をはさんで内器部材及び外器部材から成り、これに金属製のトレー体を加えて成ることを特徴とするどんぶり。
【考案の詳細な説明】
【技術分野】
【０００１】
本考案は、ラーメンその他の麺類用のどんぶりに関するものである。
【背景技術】
【０００２】
ラーメン等のどんぶりといえば陶磁器製品が普通であるところ、運搬中や食用中に誤って落下して破損の原因となっていた。
【０００３】
従来、金属製のどんぶりとして、その器体内部を中空状態にして断熱効果を出そうとする容器は、次の２つの技術が公知となっている。
【先行技術文献】
【特許文献】
【０００４】
【特許文献１】特公平６−２８６１０号公報
【特許文献２】特開２００２−２６３０１０号公報
【考案の概要】
【考案が解決しようとする課題】
【０００５】
このうち、特許文献１の公知技術はカップの製造方法に関するものであって、どんぶりの製造に関するものとは違うし、特許文献２の公知技術にあっては、内容器と外容器とを溶着接合により一体成形する際に、溶着時に発生する容器の破片を専ら捕捉する破片捕捉材を外容器の内底面部に設ける点に特徴があるが、いずれも本考案とは別ものである。
【課題を解決するための手段】
【０００６】
本考案は、所定大きさに成る金属製の容器体が適当間隔の中空部をはさんで内器部材及び外器部材から成り、これに金属製のトレー体を加えて成るものである。
【考案の効果】
【０００７】
本考案はこのような構成及び作用を有するどんぶりであるから、例えばラーメン等の温熱スープを入れる食用容器においては、作り立ての味を失うことなく直接食用することに役立ち、同様の効果は冷麺に対してもあり、また誤って落下することがあったとしても、破損することなく繰返し使用することができるものであり、特に業務用の軽量かつ頑強な什器として耐久性がありかつ経済的効果もあり、さらに金属製品であっても、その表面への模様着色は自由にできるから、金属特有の冷感を補うことができるようになる。
【図面の簡単な説明】
【０００８】
【図１】全体の斜視図
【図２】容器体の中央部正断面図
【考案を実施するための形態】
【０００９】
本体となる容器体は、いずれもステンレス鋼等の金属材の内器部材と外器部材とを所定形態に成形し、この両部材を中間に適当間隔をおいた中空部を形成して、両部材の周縁部を溶着した後、容器体全体を研磨仕上げするものである。
【００１０】
また、必要に応じて、容器体の外面部や内面部に適当な模様や色彩を施すようにしてもよい。
【実施例】
【００１１】
１は容器体で、この容器体は内器部材２及び外器部材３から成るもので、前記内器部材２の外側部には外器部材３を抱持する構成に成る。
【００１２】
前記外器部材３の外側底面部には底面凸部４を一体に成形する。
【００１３】
内器部材２と外器部材３から成る容器体１は、ステンレス鋼等の金属材によって構成する。
【００１４】
５は前記外器部材３と内器部材２との嵌合内部に形成した中空部で、この中空部における中間部の間隔は、中央底面部分と周囲上側部分では若干の差異を形成する。
【００１５】
６は前記外器部材３と内器部材２との端縁部における溶着部で、溶着後には当該周縁部の外周面部を他の周面部とともに美麗に研磨して仕上げる。
【００１６】
７は前記容器体１を載置するトレー体であり、これも同一の金属材によって構成するが、トレー体の場合は一枚板構造でも、二枚板による中空構造でも、いずれでもよい。
【符号の説明】
【００１７】
１                    容器体
２                    内器部材
３                    外器部材
４                    底面凸部
５                    中空部
６                    溶着部
７                    トレー体
【図１】
0003156794.tif 000003
【図２】
0003156794.tif 000004
【手続補正書】
【提出日】平成21年11月10日(2009.11.10)
【手続補正１】
【補正対象書類名】明細書
【補正対象項目名】全文
【補正方法】変更
【補正の内容】
【考案の詳細な説明】
【技術分野】
【０００１】
本考案は、ラーメンその他の麺類用のどんぶりばちに関するものである。
【背景技術】
【０００２】
ラーメン等のどんぶりばちといえば陶磁器製品が普通であるところ、運搬中や食用中に誤って落下して破損の原因となっていた。
【０００３】
従来、金属製のどんぶりばちとして、その器体内部を中空状態にして断熱効果を出そうとする容器は、次の２つの技術が公知となっている。
【先行技術文献】
【特許文献】
【０００４】
【特許文献１】特公平６−２８６１０号公報
【特許文献２】特開２００２−２６３０１０号公報
【考案の概要】
【考案が解決しようとする課題】
【０００５】
このうち、特許文献１の公知技術はカップの製造方法に関するものであって、どんぶりばちの製造に関するものとは違うし、特許文献２の公知技術にあっては、内容器と外容器とを溶着接合により一体成形する際に、溶着時に発生する容器の破片を専ら捕捉する破片捕捉材を外容器の内底面部に設ける点に特徴があるが、いずれも本考案とは別ものである。
【課題を解決するための手段】
【０００６】
本考案は、所定大きさに成る金属製の容器体が適当間隔の中空部をはさんで内器板材及び外器板材から成るものである。
【考案の効果】
【０００７】
本考案はこのような構成及び作用を有するどんぶりばちであるから、例えばラーメン等の温熱スープを入れる食用容器においては、作り立ての味を失うことなく直接食用することに役立ち、同様の効果は冷麺に対してもあり、また誤って落下することがあったとしても、破損することなく繰返し使用することができるものであり、特に業務用の軽量かつ頑強な什器として耐久性がありかつ経済的効果もあり、さらに金属製品であっても、その表面への模様着色は自由にできるから、金属特有の冷感を補うことができるようになる。
【図面の簡単な説明】
【０００８】
【図１】全体の斜視図
【図２】容器体の中央部正断面図
【考案を実施するための形態】
【０００９】
本体となる容器体は、いずれもステンレス鋼等の金属材による内器板材と外器板材とを所定形態に成形し、この両板材を中間に適当間隔をおいた中空部を形成して、両板材の周縁部を溶着した後、容器体全体を研磨仕上げするものである。
【００１０】
また、必要に応じて、容器体の外面部や内面部に適当な色彩や模様を施すようにしてもよい。
【実施例】
【００１１】
１は容器体で、この容器体は内器板材２及び外器板材３から成るもので、前記内器板材２の外側部には外器板材３を抱持する構成に成る。
【００１２】
前記外器板材３の外側底面部には底面凸部４を一体に成形する。
【００１３】
内器板材２と外器板材３から所定形態に成形する容器体１は、ステンレス鋼等の金属材によって構成する。
【００１４】
この容器体１の外面部や内面部には、任意の色彩や模様を施すようにしてもよい。
【００１５】
５は前記外器板材３と内器板材２との嵌合内部に形成した中空部で、この中空部における中間部の間隔は、中央底面部分と周囲上側部分との間では若干の差異を形成する。
【００１６】
６は前記外器板材３と内器板材２との端縁部における溶着部で、溶着後には当該周縁部の外周面部を他の周面部とともに美麗に研磨して仕上げる。
【００１７】
７は前記容器体１を載置するトレー体であり、これも同一の金属材によって構成するが、トレー体の場合は一枚板材構造でも、二枚板材による中空構造でも、いずれでもよい。
【符号の説明】
【００１８】
１                    容器体
２                    内器板材
３                    外器板材
４                    底面凸部
５                    中空部
６                    溶着部
７                    トレー体
【手続補正２】
【補正対象書類名】実用新案登録請求の範囲
【補正対象項目名】全文
【補正方法】変更
【補正の内容】
【実用新案登録請求の範囲】
【請求項１】
所定大きさに成る金属製の容器体が適当間隔の中空部をはさんで内器板材及び外器板材から成ることを特徴とするどんぶりばち。
【請求項２】
所定大きさに成る金属製の容器体が適当間隔の中空部をはさんで内器板材及び外器板材から成り、このように成る容器体の外面部や内面部に任意の色彩や模様を施して成ることを特徴とするどんぶりばち。